(57)【要約】【課題】遊技機本体枠から脱落し難い前扉開閉検知装置を提供する。【解決手段】前扉開閉検知装置１ａのケース体２ａにあって、蓋体４ａが配された接着平面部４０に両面テープ４５が貼着される。さらに、かかる接着平面部４０が、両面テープ４５を介して、遊技機本体枠３１の取付平面部３５に接着される。かかる取付け状態にあって、前扉３３が開放状態であると、スイッチ軸８は進出位置αとなってマイクロスイッチ１６がＯＮ状態となる。一方、前扉３３が遮閉状態であると、スイッチ軸８が退避位置βとなってマイクロスイッチ１６がＯＦＦ状態となる。かかる構成とすることにより、スイッチ軸８は接着平面部４０に対してせん断方向で進退するため、両面テープ４５に斜め方向の接着を剥がすような力が作用しない。【選択図】図５
2008142412.tif 000002
【特許請求の範囲】
【請求項１】
前面に開口部を備えた遊技機本体枠に軸支され、軸心を中心にして回動することにより前記開口部を開放又は遮閉する前扉の、その開閉状態を検知する前扉開閉検知装置であって、
両面テープが貼着される接着平面部を外周面に備えた基体と、
前記基体に前記接着平面部のせん断方向に沿って進退可能となるように保持される杆状のスイッチ軸と、
前記スイッチ軸を進出方向に付勢する付勢手段と、
前記スイッチ軸が所定の退避位置から進出方向へ移動して所定の進出位置に位置したことを検知するスイッチ軸位置検知手段とを備え、
前記基体の接着平面部を、両面テープを介して、遊技機本体枠の開口部に臨み、当該開口部の開口方向に沿って形成されてなる取付平面部に接着することにより当該遊技機本体枠に配設され、
前扉が遮閉状態となると当該前扉がスイッチ軸の先端と当接して当該スイッチ軸が退避位置となり、当該前扉が開放状態となるとスイッチ軸が前記付勢手段による付勢力により退避位置から進出方向に移動して進出位置に位置してなるものであることを特徴とする前扉開閉検知装置。
【請求項２】
前面に開口部を備えた遊技機本体枠に軸支され、軸心を中心にして回動することにより前記開口部を開放又は遮閉する前扉の、その開閉状態を検知する前扉開閉検知装置であって、
前記遊技機本体枠の開口部に臨み、当該開口部の開口方向に沿って形成されてなる取付平面部に両面テープを介して接着される接着平面部を外周面に備えた固定板と、
前記固定板に対して脱着可能に取付けられる基体と、
前記固定板に装着された基体に接着平面部のせん断方向に沿って進退可能となるように保持される杆状のスイッチ軸と、
前記スイッチ軸を進出方向に付勢する付勢手段と、
前記スイッチ軸が所定の退避位置から進出方向へ移動して所定の進出位置に位置したことを検知するスイッチ軸位置検知手段とを備え、
前記基体が固定板に装着されて遊技機本体枠に固定された状態にあって、前扉が遮閉状態となると当該前扉がスイッチ軸の先端と当接して当該スイッチ軸が退避位置となり、当該前扉が開放状態となるとスイッチ軸が前記付勢手段による付勢力により退避位置から進出方向に移動して進出位置に位置してなるものであることを特徴とする前扉開閉検知装置。
【請求項３】
基体が箱形状をなし、
付勢手段及びスイッチ軸位置検知手段が、基体内部に収納されてなることを特徴とする請求項１又は請求項２記載の前扉開閉検知装置。
【発明の詳細な説明】
【技術分野】
【０００１】
本発明は、遊技機（例えば、スロットマシンやパチンコ機など）が具備する前扉の開閉状態を検知する前扉開閉検知装置に関するものである。
【背景技術】
【０００２】
従来、スロットマシンやパチンコ機などの遊技機は良く知られている。例えばスロットマシンである遊技機ａは、図１３に示すように、遊技島ｂに固定される木製の遊技機本体枠ｃを備え、その前面に開口した開口部ｄが、当該遊技機本体枠ｃに軸支された前扉ｅにより開放又は遮閉されるように組み付けられていることが一般的である。そして、通常時は前扉ｅが遮閉されて遊技可能となり、これに対してメンテナンス時は前扉ｅが開放されて、作業員による調整作業が可能となる。
【０００３】
ところで、通常の遊技可能状態において遊技者により前扉ｅが不正に開放されることを防止すべく、遊技機本体枠ｃには、前扉ｅの開閉を検知するセキュリティースイッチ機能を備えた装置が取付けられている（例えば、特許文献１参照。）。ここで、一般的に広く採用されている汎用品としては、図１４に示すような前扉開閉検知装置Ａがある。
【０００４】
図１４に示す従来構成についてさらに詳述すると、かかる前扉開閉検知装置Ａは、マイクロスイッチｋが内蔵された箱型の本体ケース部ｇと、本体ケース部ｇに起立状に取付けられるスイッチ棒ｈとで構成されている。このスイッチ棒ｈは、本体ケース部ｇに対して３６０度又は一定方向へ所定角度で傾倒可能となっており、このスイッチ棒ｈが任意の方向へ所定角度以上傾くと、根元部材ｍがスイッチスライダｊを末端側に押し出し、これに伴いマイクロスイッチｋのスイッチピン（図示省略）が押圧されてマイクロスイッチｋのスイッチ機能がＯＮ（又はＯＦＦ）となるものである。
【０００５】
そして、図１５に示すように、前扉開閉検知装置Ａの本体ケース部ｇの外面が、所定角度に折曲された金属製ベース板ｎに固着されると共に、この金属製ベース板ｎが遊技機本体枠ｃの内側面に固着される。そして、かかる取付け状態にあって、スイッチ棒ｈは前方へ突出した状態となっており、前扉ｅが遮閉されると、当該前扉ｅの裏面とスイッチ棒ｈの先端とが接触して当該スイッチ棒ｈが傾倒し、本体ケース部ｇに内蔵されたマイクロスイッチｋがＯＮ（又はＯＦＦ）となる。一方、前扉ｅが開放されると、当該前扉ｅとスイッチ棒ｈとが非接触となってスイッチ棒ｈは本体ケース部ｇに対して中立の起立状態となり、マイクロスイッチｋがＯＦＦ（又はＯＮ）となる。なお、図１５は、金属製ベース板ｎが両面テープｐにより遊技機本体枠ｃに固定された構成を示している。
【０００６】
ところで、日本国内には、「遊技店は、製品として出荷された遊技機に対して新規な加工を一切施してはならない」という内容の条例が定められた地域が存在することは良く知られている。このため、このような地域で営業する遊技店は、上記のような前扉開閉検知装置Ａを遊技機本体枠ｃにネジ止めでなく両面テープｐを用いて固定している。
【０００７】
【特許文献１】特開２００６−２６３０２６号公報
【発明の開示】
【発明が解決しようとする課題】
【０００８】
しかしながら、図１５に示す従来構成にあって、前扉ｅが繰返し開閉されると、スイッチ棒ｈが繰返し傾倒することとなり、前扉開閉検知装置Ａを支持する金属製ベース板ｎの接着面に対して斜め方向から押圧力が繰返し作用することとなる。そうすると、かかる接着面にあっては、両面テープｐを剥がそうとする力が繰返し作用することとなるため、両面テープｐの接着力が低下するのが早く、金属製ベース板ｎが遊技機本体枠ｃから脱落する事故が発生しやすいという問題があった。なお、通常、遊技機本体枠ｃは木製であるため、両面テープｐの接着面が木目により平滑でないことが多く、このことも両面テープｐの着きを悪くしている一因となっている。
【０００９】
また、両面テープｐを利用している従来構成は、次のような問題もあった。
いわゆる新台入れ替え時には、古い遊技機ａを交換してしまうため、古い遊技機ａに取付けられていた前扉開閉検知装置Ａを再利用すべく、両面テープｐを剥がして前扉開閉検知装置Ａを取り外すという作業が必要となる。しかしながら、比較的貼着力の強い両面テープｐを選定して採用しているため、両面テープｐを剥がした後の金属製ベース板ｎの接着面が剥がしカスで汚く、新台として設置された遊技機ａに当該金属製ベース板ｎを再度取付ける際には、前記接着面の剥がしカスを綺麗に除去する必要があり、総じて前扉開閉検知装置Ａの取付け又は取外し作業が面倒であった。
【００１０】
そこで、本発明は、上記問題を解決し得る前扉開閉検知装置を提供することを目的とする。
【課題を解決するための手段】
【００１１】
本発明は、前面に開口部を備えた遊技機本体枠に軸支され、軸心を中心にして回動することにより前記開口部を開放又は遮閉する前扉の、その開閉状態を検知する前扉開閉検知装置であって、両面テープが貼着される接着平面部を外周面に備えた基体と、前記基体に前記接着平面部のせん断方向に沿って進退可能となるように保持される杆状のスイッチ軸と、前記スイッチ軸を進出方向に付勢する付勢手段と、前記スイッチ軸が所定の退避位置から進出方向へ移動して所定の進出位置に位置したことを検知するスイッチ軸位置検知手段とを備え、前記基体の接着平面部を、両面テープを介して、遊技機本体枠の開口部に臨み、当該開口部の開口方向に沿って形成されてなる取付平面部に接着することにより当該遊技機本体枠に配設され、前扉が遮閉状態となると当該前扉がスイッチ軸の先端と当接して当該スイッチ軸が退避位置となり、当該前扉が開放状態となるとスイッチ軸が前記付勢手段による付勢力により退避位置から進出方向に移動して進出位置に位置してなるものであることを特徴とする前扉開閉検知装置である。
【００１２】
かかる構成にあっては、前扉が遮閉状態にあると、付勢手段の機能に起因するスイッチ軸の進出しようとする動きが規制され、付勢力に抗してスイッチ軸が所定の退避位置に配置されることとなる。そして、前扉が遮閉状態から開放状態となると、前記の規制が解除され、スイッチ軸は前記退避位置から進出方向に移動し、この進出方向への移動を前記スイッチ軸位置検知手段が検知することとなる。これにより、前扉が開放されたことを検知することができる。ところで、前扉が繰返し開閉されると、この開閉に伴いスイッチ軸は繰返し進退することとなり、本装置を遊技機本体枠に固定するための両面テープに負荷がかかるが、前記したようにスイッチ軸は接着平面部に対してせん断方向に沿って進退するため、両面テープに斜め方向の接着を剥がすような力が作用しない。このため、両面テープは剥離し難くなり、従来構成と同性能の両面テープを採用した場合、前扉開閉検知装置を、従来に比して長く遊技機本体枠に保持させておくことが可能となる。
【００１３】
また、以下のような発明が提案される。
本発明は、前面に開口部を備えた遊技機本体枠に軸支され、軸心を中心にして回動することにより前記開口部を開放又は遮閉する前扉の、その開閉状態を検知する前扉開閉検知装置であって、前記遊技機本体枠の開口部に臨み、当該開口部の開口方向に沿って形成されてなる取付平面部に両面テープを介して接着される接着平面部を外周面に備えた固定板と、前記固定板に対して脱着可能に取付けられる基体と、前記固定板に装着された基体に接着平面部のせん断方向に沿って進退可能となるように保持される杆状のスイッチ軸と、前記スイッチ軸を進出方向に付勢する付勢手段と、前記スイッチ軸が所定の退避位置から進出方向へ移動して所定の進出位置に位置したことを検知するスイッチ軸位置検知手段とを備え、前記基体が固定板に装着されて遊技機本体枠に固定された状態にあって、前扉が遮閉状態となると当該前扉がスイッチ軸の先端と当接して当該スイッチ軸が退避位置となり、当該前扉が開放状態となるとスイッチ軸が前記付勢手段による付勢力により退避位置から進出方向に移動して進出位置に位置してなるものであることを特徴とする前扉開閉検知装置である。
【００１４】
かかる構成にあっては、前扉が繰返し開閉されると、この開閉に伴いスイッチ軸は繰返し進退することとなり、本装置を遊技機本体枠に固定する両面テープに負荷がかかるが、前記したようにスイッチ軸は接着平面部に対してせん断方向に沿って進退するため、両面テープに斜め方向の接着を剥がすような力が作用せず、両面テープが剥離し難くなる。しかも、スイッチ軸が保持される基体が固定板と脱着可能であるため、新台入れ替え時であって遊技機を交換する際に、両面テープを剥がすことなく基体を遊技機本体枠から離脱させることができる。すなわち、古い遊技機を交換する時に、前扉開閉検知装置の基体のみ取り外して保管しておき、遊技機本体枠に固定板を貼着させたまま古い遊技機を廃棄することができる。そして、新台として設置された遊技機に対しては、新しく入手した固定板のみ遊技機本体枠に両面テープで接着し、この固定板に対して保管しておいた基体を装着すれば良い。このため、従来問題であった両面テープの剥がしカスを除去する手間が省略されることとなる。
【００１５】
なお、これまでに述べた両発明にあって、次のような構成が提案される。すなわち、基体が箱形状をなし、付勢手段及びスイッチ軸位置検知手段が、基体内部に収納されてなる構成である。
【００１６】
このように、基体に付勢手段及びスイッチ軸位置検知手段が一体的に配設された構成とすることにより、前扉開閉検知装置の取扱性が良好となる。
【発明の効果】
【００１７】
本発明に係る前扉開閉検知装置は、接着平面部のせん断方向に沿って進退するようにスイッチ軸が保持されるため、接着平面部に貼着された両面テープの耐久性が向上し、従来構成に比して両面テープが剥がれ難い効果がある。さらに、両面テープの耐久性が向上すると、両面テープの交換回数を減ずることができるため、前扉開閉検知装置の脱落事故を抑制し得ると共に、保守管理のコストを低減し得る優れた効果がある。
【００１８】
また、本発明に係る前扉開閉検知装置は、遊技機本体枠に接着される固定板と、該固定板に脱着可能に取付けられる基体とを備えた構成としたため、新台入れ替え時に、固定板から基体を取り外すだけで良いため、使用後の面倒な両面テープの清掃処理が不要となり、前扉開閉検知装置の利便性が向上する効果がある。
【００１９】
また、基体が箱形状をなし、付勢手段及びスイッチ軸位置検知手段が、基体内部に収納された構成とした場合は、基体に付勢手段及びスイッチ軸位置検知手段が一体的に配設されることとなるため、前扉開閉検知装置の取扱性が向上する効果がある。
【発明を実施するための最良の形態】
【００２０】
＜第一実施例＞
本発明に係る前扉開閉検知装置１ａの実施例を、添付図面に従って説明する。
図１，２に示すように、前扉開閉検知装置１ａは、プラスチック製で箱型のケース体２ａを備えている。このケース体２ａの一側面には、矩形の開口部３が形成されており、薄板で構成される蓋体４ａにより、この開口部３が遮閉可能となっている。なお、前記ケース体２ａにより、本発明に係る基体が構成される。また、開口部３が形成されて蓋体４ａが取付けられた側面により、本発明に係る接着平面部４０が構成される。かかる接着平面部４０については、後で詳述する。
【００２１】
また、ケース体２ａの互いに対向する側面５ａ，５ｂには、図３，４に示すように、各々挿通孔６ａ，６ｂが設けられていると共に、この挿通孔６ａ，６ｂに、杆状のスイッチ軸８が挿通されている。そして、このスイッチ軸８は、両挿通孔６ａ，６ｂにより二点支持されて、図１において左右方向にスライド移動可能となっている。換言すれば、かかるスイッチ軸８は、前記接着平面部４０のせん断方向に沿って進退するように設計されている。
【００２２】
また、このスイッチ軸８の先端には、板片状の幅広部１０が形成されており、当該スイッチ軸８は全体で側面視ほぼＴ字形となっている。さらに、図３，４に示すように、スイッチ軸８は、軸部につき、先端寄り部分の大径部１１と、末端寄り部分であって大径部１１よりわずかに小径の小径部１２とを備えている。そして、スライド移行可能に配置された状態にあって、前記小径部１２には、所定長さのコイルバネ１４が外嵌されており、スイッチ軸８が末端側に移動すると、該コイルバネ１４が大径部１１とケース体２ａの内壁との間で弾縮して当該スイッチ軸８を先端方向へ付勢する力を発生させる構成となっている。なお、前記コイルバネ１４により、本発明に係る付勢手段が構成される。
【００２３】
また、スイッチ軸８の大径部１１には、該大径部１１を一部切欠して設けられた切欠部１３が形成されている。そして、この切欠部１３がケース体２ａの中心側に向けられて当該スイッチ軸８がケース体２ａに保持されている。なお、かかる切欠部１３については、後で詳述する。
【００２４】
ケース体２ａ内であって、スイッチ軸８の隣接位置には、公知のマイクロスイッチ１６が配置されている。このマイクロスイッチ１６は、その側面でバネ（図示省略）作用により出没するスイッチピン１７を備えており、このスイッチピン１７が前記スイッチ軸８と接触している。ここで、このスイッチピン１７が突出状態であると、マイクロスイッチ１６はＯＮ状態にあり、一方スイッチピン１７が埋没状態となると、マイクロスイッチ１６はＯＦＦ状態となる。
【００２５】
また、このマイクロスイッチ１６には、金属製で薄板状の結線用端子２３，２３が配設されている。そして、各結線用端子２３は、ケース体２ａに設けられたハーネス用挿通孔２４を介して配されるスイッチハーネス１８の各端部１８ａ，１８ｂがそれぞれ半田付けで接続される。また、スイッチハーネス１８の他側の端部には、コネクタ１９が接続されており、このコネクタ１９を介して外部の電源端子（図示省略）に接続可能となっている。なお、前記スイッチハーネス１８は、ケース体２ａ内において結束バンド２１で結束されている。
【００２６】
また、図１に示すように、ケース体２ａの開口部３を遮閉する蓋体４ａは、二つのサラタッピン２０によりケース体２ａに固定される。なお、本実施例にあっては、前記サラタッピン２０，２０により、マイクロスイッチ１６がケース体２ａ内でガタつくことなく固定される構成となっている。なお、前記マイクロスイッチ１６により、本発明に係るスイッチ軸位置検知手段が構成される。
【００２７】
これまでに述べた構成にあって、図３に示すように、スイッチ軸８が先端方向に進出し、切欠部１３がスイッチピン１７に臨む位置となると、スイッチピン１７が切欠部１３内に突出する。そして、切欠部１３に形成された位置規定面２５にスイッチピン１７の側部が当接することにより、スイッチ軸８の進出移動が規制される。なお、進出移動が規制されるスイッチ軸８の位置を、進出位置αとしている。
【００２８】
これに対し、コイルバネ１４の付勢力に抗してスイッチ軸８が末端方向に退避すると、切欠部１３に形成された案内斜面２６に沿ってスイッチピン１７がマイクロスイッチ１６側に押圧されて、図４に示すように、スイッチ軸８の大径部１１とスイッチピン１７の頭頂部とが当接し、当該スイッチピン１７が前記バネ（図示省略）の弾力に抗して埋没した状態となる。なお、コイルバネ１４が最も弾縮した位置でスイッチ軸８の退避移動が規制される位置を、スイッチ軸８の退避位置βとしている。
【００２９】
これまでに述べた構成にあって、マイクロスイッチ１６は、スイッチ軸８の進退に伴うスイッチピン１７の出没によりＯＮ状態とＯＦＦ状態とが状態変換されることとなり、これによりスイッチ軸８が進出位置αに位置したことを検知することが可能となる。
【００３０】
次に、上記の前扉開閉検知装置１ａの設置態様について説明する。
前扉開閉検知装置１ａは、図５に示すように、遊技機３０の遊技機本体枠３１に形成された開口部３２の周囲に設置される。さらに詳述すると、まず前扉開閉検知装置１ａのケース体２ａにあって、蓋体４ａが配された接着平面部４０に両面テープ４５が貼着される。さらに、両面テープ４５が付された接着平面部４０が、遊技機本体枠３１の開口部３２に臨む内側面であって、鉛直方向に沿った取付平面部３５に接着される。なお、この取付平面部３５は、開口部３２の開口方向に沿って形成された平面部である。
【００３１】
ここで、前扉開閉検知装置１ａの前後位置は、次のような位置に設定される。
図６ａに示すように、遊技機本体枠３１に軸支され、鉛直方向の軸心を中心にして回動する前扉３３が開放状態であると、スイッチ軸８と前扉３３とが非接触となり、当該スイッチ軸８が進出位置αとなるように、前扉開閉検知装置１ａは配置される。したがって、前扉３３が開放状態のとき、スイッチピン１７が突出状態となるため、マイクロスイッチ１６はＯＮ状態となる。
【００３２】
一方、図６ｂに示すように、前扉３３が遮閉状態であると、前扉３３の裏面とスイッチ軸８の幅広部１０とが当接し、スイッチ軸８が後方に退避して退避位置βとなるように設定される。したがって、前扉３３が開放状態のとき、スイッチピン１７が埋没状態となるため、マイクロスイッチ１６はＯＦＦ状態となる。
【００３３】
かかる構成とすることにより、前扉３３が繰返し開閉しても、スイッチ軸８は接着平面部４０に対してせん断方向で進退するため、両面テープ４５に、斜め方向に作用する接着を剥がすような力が発生しない。このため、両面テープ４５は剥離し難くなり、前扉開閉検知装置１ａを、確実かつ安定して遊技機本体枠３１に保持させておくことが可能となる。また、上記構成は簡易構造であるため、製造コストが安価である利点がある。
【００３４】
＜第二実施例＞
また、以下に示す前扉開閉検知装置１ｂが提案される。なお、上記した第一実施例に係る構成と共通する構成については同符号を付すと共に、説明を簡略又は省略する。
【００３５】
図７に示すように、前扉開閉検知装置１ｂのケース体２ｂにあって、開口部３を遮閉する蓋体４ｂのほぼ中央には、板厚方向に貫通した係止穴５３，５３が全部で二つ開口している。さらに詳述すると、両係止穴５３，５３は対称形で、それぞれ幅広部５４と幅挟部５５とで構成されており、全体として正面視ほぼＬ字形を呈している。
【００３６】
また、本実施例に係る前扉開閉検知装置１ｂは、ケース体２ｂとは別に、図８，９に示すように、薄板状の固定板５０を備えている。さらに詳述すると、この固定板５０は、ほぼ板面中央に、その板面から起立状に突出した係止突起５１，５１が配設されている。ここで、各係止突起５１は、図９に示すように、幅広の先頭部５８と、先頭部５８より小径の首部５９とで構成された断面Ｌ字状を呈している。
【００３７】
さらに、図８に示すように、両係止突起５１，５１の離間距離は、前記した両係止穴５３，５３の各幅広部５４の離間距離と一致させている。また、各係止突起５１の先頭部５８の幅広寸法は、係止穴５３の幅広部５４よりわずかに小さく、かつ幅挟部５５より大きくなるように設定されている。また、各係止突起５１の首部５９の幅広寸法は、係止穴５３の幅挟部５５よりわずかに小さく設定されている。
【００３８】
次に、図１０，１１に従って、前扉開閉検知装置１ｂの設置態様について説明する。
まず、図１０に示すように、前記の固定板５０であって、係止突起５１が配設されない板面に両面テープ４５が貼着される。ここで、係止突起５１が配設されない固定板表面を本発明に係る接着平面部４０としている。さらに、図１１に示すように、かかる接着平面部４０が、両面テープ４５を介して、遊技機本体枠３１の取付平面部３５に接着される。なお、この接着状態にあっては、両係止突起５１，５１がほぼ水平に配置される。
【００３９】
一方、上述のケース体２ｂの係止穴５３が配置される板面を前記固定板５０に対面させ、各係止穴５３，５３に各係止突起５１，５１を係止させ、当該ケース体２ｂを固定板５０に装着する。具体的には、図１２ａに示すように、まず係止穴５３の幅広部５４内に係止突起５１を配置し、係止突起５１の先頭部５８を潜らせた後、図１２ｂに示すように、ケース体２ｂを下方に移動させて係止突起５１の首部５９を係止穴５３の幅挟部５５を通過させて、ケース体２ｂを固定板５０に引っ掛ける。
【００４０】
一方、ケース体２ｂは、上記装着手順とは逆の手順により、固定板５０から簡単に離脱させることができる。
【００４１】
なお、前扉３３の開閉に伴うスイッチ軸８の進退態様は、第一実施例と同様である。かかる構成にあっては、前扉３３が繰返し開閉されると、この開閉に伴いスイッチ軸８は繰返し進退することとなり両面テープ４５に負荷がかかるが、当該スイッチ軸８は接着平面部４０に対してせん断方向に沿って進退するため、両面テープ４５が剥離し難くい。しかも、スイッチ軸８が保持されるケース体２ｂは固定板５０と脱着可能であるため、新台入れ替え時であって遊技機３０を交換する際に、両面テープ４５を剥がすことなくケース体２ｂを遊技機本体枠３１から離脱させることができる。
【００４２】
なお、第二実施例にあって、少なくとも固定板５０は両面テープ４５により遊技機本体枠３１に接着されるものであるが、固定板５０とケース体２ｂの脱着機構は、様々な構成が提案され得る。例えば、ケース体２ｂを固定板５０にネジ止めしても良い。
【００４３】
なお、第一実施例及び第二実施例は、ケース体２ａ，２ｂが箱状であり、コイルバネ１４とマイクロスイッチ１６がケース体２ａ，２ｂに収納されてなる構成であるが、ケース体２ａ，２ｂは必ずしも箱状である必要はなく、適宜変更可能である。
【００４４】
また、本発明に係る実施例は、本発明の主旨を逸脱しない範囲で適宜設計変更することが可能である。
【図面の簡単な説明】
【００４５】
【図１】第一実施例に係る前扉開閉検知装置１ａの平面図である。
【図２】前扉開閉検知装置１ａの側面図である。
【図３】図２のＡ−Ａ線断面図であって、スイッチ軸８が進出位置αにある前扉開閉検知装置１ａを示している。
【図４】図２のＡ−Ａ線断面図であって、スイッチ軸８が退避位置βにある前扉開閉検知装置１ａを示している。
【図５】前扉開閉検知装置１ａの取付け態様を示す拡大斜視図である。
【図６】スイッチ軸８の進退状態を示す説明図であり、ａ）は前扉３３が開放してスイッチ軸８が進出位置αにある状態を示し、ｂ）は前扉３３が遮閉してスイッチ軸８が退避位置βにある状態を示している。
【図７】第二実施例に係る前扉開閉検知装置１ｂの平面図である。
【図８】固定板５０の平面図である。
【図９】図８のＢ−Ｂ線断面図である。
【図１０】前扉開閉検知装置１ｂの側面図である。
【図１１】前扉開閉検知装置１ｂの取付け態様を示す拡大斜視図である。
【図１２】ケース体２ｂの取付け態様を示す説明図である。
【図１３】遊技機ａを示す外観斜視図である。
【図１４】従来構成の前扉開閉検知装置Ａを示す縦断側面図である。
【図１５】従来構成の前扉開閉検知装置Ａの設置態様を示す説明図である。
【符号の説明】
【００４６】
１ａ，１ｂ  前扉開閉検知装置
２ａ，２ｂ  ケース体（基体）
８  スイッチ軸
１４  コイルバネ（付勢手段）
１６  マイクロスイッチ（スイッチ軸位置検知手段）
３１  遊技機本体枠
３２  開口部
３３  前扉
３５  取付平面部
４０  接着平面部
４５  両面テープ
５０  固定板
α  進出位置
β  退避位置
【図１】
2008142412.tif 000003
【図２】
2008142412.tif 000004
【図３】
2008142412.tif 000005
【図４】
2008142412.tif 000006
【図５】
2008142412.tif 000007
【図６】
2008142412.tif 000008
【図７】
2008142412.tif 000009
【図８】
2008142412.tif 000010
【図９】
2008142412.tif 000011
【図１０】
2008142412.tif 000012
【図１１】
2008142412.tif 000013
【図１２】
2008142412.tif 000014
【図１３】
2008142412.tif 000015
【図１４】
2008142412.tif 000016
【図１５】
2008142412.tif 000017